(57)【要約】【課題】指先を押し付けてフレキシブルプリント配線板をコネクタに容易に接続できるようにする。【解決手段】コネクタ８に電気的に接続する接続部１２ａを有する、柔軟性のある基材１１に配線が印刷されたフレキシブルプリント配線板１０において、接続部１２ａの反対側の面に補強板１４を設け、この補強板１４に膨出するようにコネクタ８に抜き差しする際に指先を押し付ける挿抜操作部１６を設ける。【選択図】図１
2015135865.tif 000002
【特許請求の範囲】
【請求項１】
コネクタに電気的に接続する接続部を有する、柔軟性のある基材に配線が印刷されたフレキシブルプリント配線板において、
上記接続部の反対側の面に設けられた補強板と、
上記補強板に膨出するように設けられ、上記コネクタに抜き差しする際に指先を押し付ける挿抜操作部とを有する
ことを特徴とするフレキシブルプリント配線板。
【請求項２】
請求項１に記載のフレキシブルプリント配線板において、
上記コネクタ側に設けた位置決め用の表示に対応する位置決め用貫通孔が形成され、
上記挿抜操作部は、少なくとも上記位置決め用貫通孔に対応する部分が透明又は半透明の部材よりなる
ことを特徴とするフレキシブルプリント配線板。
【請求項３】
請求項２に記載のフレキシブルプリント配線板を備えた電子機器において、
上記コネクタが周縁に装着された回路基板を有し、
上記位置決め用の表示は、上記回路基板の表面に印刷された目印用パターンよりなり、
上記フレキシブルプリント配線板は、上記回路基板の周縁の裏側から折り曲げられて上記コネクタに挿入されるように構成されている
ことを特徴とする電子機器。
【発明の詳細な説明】
【技術分野】
【０００１】
本発明は、コネクタに電気的に接続する接続部を有する、柔軟性のある基材に配線が印刷されたフレキシブルプリント配線板及びそれを備えた電子機器に関するものである。
【背景技術】
【０００２】
従来より、信号を授受する複数本の導体と、この導体の上部を外部より電気的に絶縁する上部絶縁層と、導体の下部を電気的に絶縁する下部絶縁層とコネクタの指定の厚み寸法を満足する補強板からなるフレキシブルフラットケーブルに取っ手を取り付けることは知られている（例えば、特許文献１参照）。この取っ手を指でつまむことにより、フレキシブルフラットケーブルを容易にコネクタに接続できるようになっている。
【先行技術文献】
【特許文献】
【０００３】
【特許文献１】特開２００３−２６４０１９号公報
【発明の概要】
【発明が解決しようとする課題】
【０００４】
しかしながら、従来のフレキシブルプリント配線板では、つまみをある程度大きくしないと、指でつまんで抜き差し操作をすることができない。携帯電話機のような小型の電子機器では、メイン基板の有効利用のためにコネクタがメイン基板の周縁に設けられることが多い上に厚さが制限されるので、小さなつまみとなってうまく接続できないという問題がある。
【０００５】
一方で、このようなつまみ等がないと、フレキシブルプリント配線板を無理矢理引っ張って痛めたり、それを防ぐためにピンセットや特別な治具が必要になったりするという問題もある。
【０００６】
本発明は、かかる点に鑑みてなされたものであり、その目的とするところは、指先を押し付けてフレキシブルプリント配線板をコネクタに容易に接続できるようにすることにある。
【課題を解決するための手段】
【０００７】
上記の目的を達成するために、この発明では、補強板の上に膨出させた挿抜操作部を指先で押さえ付けるようにした。
【０００８】
具体的には、本発明では、コネクタに電気的に接続する接続部を有する、柔軟性のある基材に配線が印刷されたフレキシブルプリント配線板を前提とする。
【０００９】
そして、上記フレキシブルプリント配線板は、
上記接続部の反対側の面に設けられた補強板と、
上記補強板に膨出するように設けられ、上記コネクタに抜き差しする際に指先を押し付ける挿抜操作部とを有する。
【００１０】
上記の構成によると、膨出した挿抜操作部に指先を押し付けながらコネクタを抜き差しすることができるので、小さなコネクタでも簡単にフレキシブルプリント配線板の接続をすることができる。
【発明の効果】
【００１１】
以上説明したように、本発明によれば、接続部の反対側の面の補強板に膨出するように設けた挿抜操作部に指先を押し付けてコネクタに抜き差しするようにしたことにより、簡単かつ確実にフレキシブルプリント配線板をコネクタに接続することができる。
【図面の簡単な説明】
【００１２】
【図１】本発明の実施形態に係るフレキシブルプリント配線板を拡大して示し、（ａ）が側面図で、（ｂ）がフレキシブルプリント配線板を示す底面図で、（ｃ）がフレキシブルプリント配線板を示す平面図である。
【図２】携帯電話機を示す断面図である。
【図３】メイン基板及びフレキシブルプリント配線板を拡大して示す平面図である。
【図４】フレキシブルプリント配線板及びコネクタを拡大して示し、（ａ）が指先でフレキシブルプリント配線板をコネクタに抜き差しする様子を示す側面図であり、（ｂ）がフレキシブルプリント配線板をコネクタに接続した様子を示す側面図であり、（ｃ）がフレキシブルプリント配線板をコネクタに接続した様子を示す平面図である。
【発明を実施するための形態】
【００１３】
以下、本発明の実施形態を図面に基づいて説明する。
【００１４】
図２は、本発明の実施形態の電子機器としての携帯電話機（スマートフォン）１を示し、この携帯電話機１は、例えば、正面側にガラスパネル２ａ、液晶ユニット２ｂ、バックライト２ｃ等からなる表示部２を収容する正面側キャビネット３と、この正面側キャビネット３を背面側から覆う背面側キャビネット４と、この背面側キャビネット４の背面を覆うリアカバー５とを備えている。正面側キャビネット３と背面側キャビネット４との間の収容空間には、例えば矩形板状の充電池６と、回路基板７とが設けられている。
【００１５】
そして、表示部２には、その背面側の回路基板７との間で信号の受け渡しを行うフレキシブルプリント配線板１０が設けられている。本実施形態では、このフレキシブルプリント配線板１０は、表示部２の周縁から背面側に折り曲げられて回路基板７の周縁に設けたコネクタ８に接続されている。
【００１６】
図１（ａ）に厚さを実際よりも誇張して示すように、このフレキシブルプリント配線板１０は、柔軟性のある多層構造よりなり、例えばポリイミドなどの絶縁体よりなる基材１１の裏面側に導体１２が印刷されている。フレキシブルプリント配線板１０におけるコネクタ８との接続部１２ａ以外の導体１２の表面側は、例えばポリイミドなどの絶縁体よりなるカバー層１３で保護されている。
【００１７】
フレキシブルプリント配線板１０の先端側（コネクタ８側）における接続部１２ａの反対側の面には、フィルム状の樹脂板などよりなる補強板１４で補強されている。補強板１４は、熱硬化接着材１５などの接着材又は両面テープで基材１１に接着されている。そして、この補強板１４には、ＰＥＴ樹脂などで成形された他の部分に比べて厚さの厚い板状の挿抜操作部１６が膨出するように設けられている。挿抜操作部１６は、例えば両面テープ１７により補強板１４に貼り付けられている。この挿抜操作部１６は、補強板１４と比較しても硬質で厚さが厚く、コネクタ８に抜き差しする際に指先を押し付けることができるようになっている。
【００１８】
そして、本実施形態では、挿抜操作部１６は、透明なＰＥＴ樹脂で構成されている。フレキシブルプリント配線板１０には、円形の位置決め用貫通孔１８が形成されている。図３に示すように、挿抜操作部１６は、貫通されていないが、透明であるので、その位置決め用貫通孔１８を見ることができるようになっている。この位置決め用貫通孔１８に対応させてコネクタ８の近傍には、位置決め用の表示として目印用パターン９が印刷されている。
【００１９】
次いで、本実施形態のフレキシブルプリント配線板１０の接続方法について説明する。
【００２０】
まず、正面側キャビネット３にユニット化された表示部２を嵌め込む。このとき、表示部２から延びるフレキシブルプリント配線板１０は、背面側へ延びている。
【００２１】
次いで、図４（ａ）に示すように、コネクタカバー８ａを開いた状態で、フレキシブルプリント配線板１０を背面側に折り曲げ、その挿抜操作部１６に指先５０を押し当てるようにしながら、回路基板７に押し付ける。なお、コネクタ８は、コネクタカバー８ａを有さないものでもよい。
【００２２】
更に挿抜操作部１６を押し付けてスライドさせながらフレキシブルプリント配線板１０の接続部１２ａをコネクタ８に接続し、図４（ｂ）及び（ｃ）に示すように、コネクタカバー８ａを閉じる。その後、透明な挿抜操作部１６を通して、位置決め用貫通孔１８と、回路基板７側の目印用パターン９との位置を確認し、接続状態を確認する。
【００２３】
逆にフレキシブルプリント配線板１０をコネクタ８から抜くときには、コネクタカバー８ａを開き、図４（ａ）に示すように挿抜操作部１６を指先５０で押さえ付け、又はコネクタ８と挿抜操作部１６との間に指先５０（爪先）を挿入するようにして挿抜操作部１６を押さえ付けながらスライドさせる。もし、挿抜操作部１６がなければ、指先５０を引っ掛ける部分がないので、フレキシブルプリント配線板１０を引っ張ってフレキシブルプリント配線板１０を痛めるのを防ぐために特別な治具やピンセットを用意する必要がある。しかし、本実施形態では、挿抜操作部１６があるので、ピンセットや治具を用いなくても、フレキシブルプリント配線板１０を痛めることなく、容易にフレキシブルプリント配線板１０を抜き出すことができる。更に、フレキシブルプリント配線板１０を接続しやすくするために必要以上に長くすることがなく、見映えがよくて弛んだ部分の後処理等を必要としない。
【００２４】
このように、本実施形態の構成によると、挿抜操作部１６に指先５０を押し付けながらコネクタ８を抜き差しすることができるので、小さなコネクタ８でも簡単にフレキシブルプリント配線板１０の接続をすることができる。
【００２５】
更に本実施形態では、コネクタ８側に設けた目印用パターン９と位置決め用貫通孔１８との位置合わせを確認できるようにしたことにより、容易にフレキシブルプリント配線板１０の接続状態を確認することができる。
【００２６】
また、フレキシブルプリント配線板１０は、回路基板７の周縁から背面側へ折り曲げられてコネクタ８に挿入されるように構成したので、携帯電話機１の回路基板７の周縁のようにスペースが限られた場所でも簡単かつ確実にフレキシブルプリント配線板１０をコネクタ８に接続できる。このため、組付作業の効率化を図ることができる。
【００２７】
したがって、本実施形態に係るフレキシブルプリント配線板１０によると、接続部１２ａの反対側の面の補強板１４に膨出するように設けた挿抜操作部１６に指先５０を押し付けてコネクタ８に抜き差しするようにしたことにより、簡単かつ確実にフレキシブルプリント配線板１０をコネクタ８に接続することができる。
【００２８】
（その他の実施形態）
本発明は、上記実施形態について、以下のような構成としてもよい。
【００２９】
すなわち、上記実施形態では、挿抜操作部１６は、透明のＰＥＴ樹脂としたが、半透明のＰＥＴ樹脂でもよく、また、ＰＥＴ樹脂以外の少なくとも目印用パターン９に対応する部分が透明又は半透明の合成樹脂、エラストマー、ゴム等でもよい。なお、挿抜操作部１６が透明又は半透明ではないときには、目印用パターン９を設ける必要はない。
【００３０】
上記実施形態では、補強板１４に挿抜操作部１６を貼り付けているが、補強板１４と挿抜操作部１６とが一体であってもよい。
【００３１】
上記実施形態では、電子機器は、携帯電話機１としたが、タブレット端末、ＰＨＳ（Personal Handy-phone System ）、ＰＤＡ(Personal DigitalAssistant)、パソコン、モバイルツール、電子辞書、電卓、ゲーム機等であってもよく、液晶ディスプレイ、液晶テレビ、ブルーレイ（ＤＶＤ）レコーダ等であってもよい。
【００３２】
なお、以上の実施形態は、本質的に好ましい例示であって、本発明、その適用物や用途の範囲を制限することを意図するものではない。また、各実施形態に記載された技術的特徴は、互いに組合せ可能であり、組み合わせることにより、新しい技術的特徴を形成することができる。
【符号の説明】
【００３３】
１      携帯電話機（電子機器）
２      表示部
２ａ    ガラスパネル
２ｂ    液晶ユニット
２ｃ    バックライト
３      正面側キャビネット
４      背面側キャビネット
５      リアカバー
６      充電池
７      回路基板
８      コネクタ
８ａ    コネクタカバー
９      目印用パターン
１０      フレキシブルプリント配線板
１１      基材
１２      導体
１２ａ    接続部
１３      カバー層
１４      補強板
１５      熱硬化接着材
１６      挿抜操作部
１７      両面テープ
１８      位置決め用貫通孔
５０      指先
【図１】
2015135865.tif 000003
【図２】
2015135865.tif 000004
【図３】
2015135865.tif 000005
【図４】
2015135865.tif 000006